(57)【特許請求の範囲】
【請求項１】
ケース内にポンプ室を形成する複数のダイヤフラムを備え、偏心回転軸により揺動される揺動体によって前記ダイヤフラムが上下動されてポンプ動作を行う小型ポンプに於いて、前記各ダイヤフラムの底部中心部に貫通孔を設け、該貫通孔に連通する空気導入孔を前記揺動体に開穿して、該貫通孔に吸気弁体を設けて吸気弁部を構成し、更に、前記ケース上板中央部に排気孔を開穿し、且つ、該排気孔外周に該排気孔と連通する環状凹溝を複数形成し、該環状凹溝と前記排気孔に前記ダイヤフラムの上端部から成る排気弁体を配設して排気弁部が構成したことを特徴とする小型ポンプ。
【発明の詳細な説明】
【０００１】
【発明の属する技術分野】
この発明は、小型ポンプに関するものであり、特に、血圧計等に用いられ、且つ、ダイヤフラムを使用する小型ポンプに関するものである。
【０００２】
【従来の技術】
従来の此種小型ポンプを図４に従って説明する。図は１２０度の角度を有する２つの垂直切断面によって軸中心に切断された小型ポンプ１の縦断面図を示し、該小型ポンプ１はケース２内にポンプ室３，３，３を形成する３個のダイヤフラム４，４，４が設けられ、該ダイヤフラム４，４，４は互いに一体に連結されてダイヤフラム集合体５を形成している。そして、該ダイヤフラム集合体５の中央部には円筒状の排気弁体６が形成され、該排気弁体６は前記ケース２の上板７中央部に開穿された排気孔８内壁に圧接されている。又、該上板７には前記ダイヤフラム４，４，４の上方に位置して夫々傘型の吸気弁体９，９，９が取り付けられている。該吸気弁体９，９，９は前記ダイヤフラム４，４，４側に傘部９ａ，９ａ，９ａが形成され、そして、前記上板７に開穿された小孔１０，１０，１０を貫通し、更に、前記上板７の上方に該小孔１０，１０，１０より大径の止着部９ｂ，９ｂ，９ｂが形成されており、これによって前記吸気弁体９，９，９は前記上板７に圧着されている。又、前記小孔１０，１０，１０の周縁部近傍には数個の吸気孔１１，１１…が形成され、前記吸気弁体９，９，９の前記傘部９ａ，９ａ，９ａが該吸気孔１１，１１…を密閉している。
【０００３】
更に、前記ダイヤフラム４，４，４の下端部に揺動板１２が揺動自在に連結され、該揺動板１２は回転する偏心軸１３によって揺動するように構成されている。
【０００４】
而して、該偏心軸１３が回転すると前記揺動板１２が揺動し、前記ダイヤフラム４，４，４の下端部を上下動させる。そして、該ダイヤフラム４の下端部が前記揺動板１２により下動された時、該ダイヤフラム４内は負圧になり、前記排気弁体６は前記排気孔８を密閉し、一方、前記吸気弁体９の傘部９ａ，９ａ，９ａが前記吸気孔１１を密閉状態から開放して吸気が行われる。次に、前記ダイヤフラム４の下端部が上動された時、前記ダイヤフラム４内は高圧になり、前記吸気弁体９は前記吸気孔１１，１１…を密閉状態にすると共に前記排気弁体６と前記排気孔８間が開放されて排気が行われる。
【０００５】
【発明が解決しようとする課題】
上記従来例の小型ポンプは、揺動板の揺動によりダイヤフラム下端部が上下動し、該ダイヤフラムの上下動に連動して吸気弁体及び排気弁体が動作し吸排気を行っていた。
【０００６】
然しながら、前記ダイヤフラムに連動して動作する前記吸気弁体はケースの上板に固着されており、且つ、該吸気弁体の一部は該上板の外部に露出しているため、該吸気弁体の作動音が前記ケース外部に漏れて、該作動音が雑音となるという問題があった。
【０００７】
そこで、ダイヤフラムを用いた小型ポンプに於いて、吸気弁体から発生する雑音を低減するために解決すべき技術的課題が生じてくるのであり、本発明はこの課題を解決することを目的とする。
【０００８】
【課題を解決するための手段】
本発明は上記目的を達成するために提案されたものであり、ケース内にポンプ室を形成する複数のダイヤフラムを備え、偏心回転軸により揺動される揺動体によって前記ダイヤフラムが上下動されてポンプ動作を行う小型ポンプに於いて、前記各ダイヤフラムの底部中心部に貫通孔を設け、該貫通孔に連通する空気導入孔を前記揺動体に開穿して、該貫通孔に吸気弁体を設けて吸気弁部を構成し、更に、前記ケース上板中央部に排気孔を開穿し、且つ、該排気孔外周に該排気孔と連通する環状凹溝を複数形成し、該環状凹溝と前記排気孔に前記ダイヤフラムの上端部から成る排気弁体を配設して排気弁部が構成した小型ポンプを提供するものである。
【０００９】
【発明の実施の形態】
以下、本発明の一実施の形態を図１乃至図３に従って詳述する。図１は小型ポンプ２１の平面図であり、図に於いて２２はケースを示し、２３は該ケース２２内に内蔵されるダイヤフラムであり、２４は該ダイヤフラム２３の下端部を上下動させる揺動体である。
【００１０】
前記小型ポンプ２１を図１のＡ−Ａ線で切断した縦断面図を図２に示す。図２に於いて前記小型ポンプ２１はケース２２内にポンプ室２５，２５，２５を形成する３個のダイヤフラム２３，２３，２３が備えられ、該ダイヤフラム２３，２３，２３の下方には、該ダイヤフラム２３，２３，２３の下面を上下動させる前記揺動体２４が配設されている。
【００１１】
而して、該揺動体２４にはその周辺部近傍であって、且つ、前記ダイヤフラム２３，２３，２３の夫々の中心部に設けられている貫通孔２６，２６，２６を連通する空気導入孔２７，２７，２７を夫々有する軸体２７ａ，２７ａ，２７ａが突設されており、該軸体２７ａ，２７ａ，２７ａの外側に前記ダイヤフラム２３，２３，２３の中心部の下面に突設された中空状取付体２８，２８，２８を密嵌して該ダイヤフラム２３，２３，２３が該揺動体２４に連結されており、更に、該揺動体２４は該揺動体２４の中心部の開口部に圧入され、上端部をケース２２の上板２２ａの中心部下方へ突設された支持部２２ｂ下面に設けた凹部に遊嵌され、且つ、下端部を回転体２９に偏心して固着されている偏心回転軸３０が前記上端部の遊嵌部を支点とする偏心回転によって揺動される。そして、該偏心回転軸３０は回転駆動軸３１によって回転される回転体２９に偏心して固着されている。
【００１２】
更に、前記ダイヤフラム２３，２３，２３の底部中心部には前記貫通孔２６，２６，２６が設けられ、該貫通孔２６，２６，２６上面には吸気弁体３２，３２，３２が設けられて吸気弁部Ｖ１が構成されている。該吸気弁体３２はダイヤフラム２３の一部を切開して設けることができる。然るときは該吸気弁体３２の形成が容易であり、且つ、安価に成形できる。但し、之に限定されるべきではない。
【００１３】
又、前記ケース２２の上板２２ａの中央部には排気孔３２ａが開穿され、且つ、該上板２２ａ下面部の該排気孔３２ａ外周に該排気孔３２ａと連通する３個の環状凹溝３３，３３，３３が設けられており、該環状凹溝３３，３３，３３を形成する内壁面３３ａ及び該排気孔３２ａを形成する壁面３３ｂに前記ダイヤフラム２３，２３，２３の上端部から成る排気弁体３４，３４，３４を圧接させて排気弁部Ｖ２が構成されている。
【００１４】
尚、図２に於いて、符号３５はダイヤフラム２３，２３，２３の鍔部を示し、該鍔部３５，３５，３５を夫々ケース２２に設けた孔部に密嵌して該ダイヤフラム２３，２３，２３を該ケース２２に取付けている。
【００１５】
而して、前記回転駆動軸３１が回転して前記偏心回転軸３０が回転すると前記揺動体２４が揺動し、前記ダイヤフラム２３，２３，２３の下端部を上下動させる。そして、該ダイヤフラム２３の下端部が下動された時、該ダイヤフラム２３内は負圧になり、前記排気弁体３４は前記環状凹溝３３の前記内壁面３３ａに密着し、即ち、前記排気弁部Ｖ２は閉じ、且つ、前記吸気弁体３２は前記貫通孔２６の閉塞状態を解脱し、即ち、前記吸気弁部Ｖ１は開状態となり、前記空気導入孔２７から当該ダイヤフラム２３内へ吸気が行われる。次に、前記ダイヤフラム２３の下端部が上動された時、前記ダイヤフラム２３内は高圧になり、前記吸気弁体３２が前記貫通孔２６を閉塞して前記吸気弁部Ｖ１を閉状態にすると共に前記排気弁体３４が前記内壁面３３ａより拡径して前記排気弁部Ｖ２による排気が行われる。このときの排気状態を図３（前記小型ポンプ２１をＢ−Ｂ線で切断した断面図）によって説明すると、前記排気弁体３４が拡径して該排気弁体３４内より排出された空気は前記環状凹溝３３を通り前記排気孔３２ａから前記ケース２２外に排出される。
【００１６】
斯くして、本発明は前記ダイヤフラム２３の底部に設けられた前記吸気弁体３２と該吸気弁体３２と貫通孔２６により前記吸気弁部Ｖ１が構成されているので、従来例のように前記吸気弁体３２が前記ケース２２に直接固着されることなく、又、該吸気弁体３２の一部が該ケース２２の外部に露出することもなく、該ケース２２内に完全に収納されているため、該吸気弁体３２の作動音は該ケース２２内で消音されることにより、該ケース２２外に漏れる雑音は少なくなる。
【００１７】
尚、本発明は、本発明の精神を逸脱しない限り種々の改変を為すことができ、そして、本発明が該改変されたものに及ぶことは当然である。
【００１８】
【発明の効果】
本発明は上記一実施の形態にて詳述したように、揺動体の偏心回転によって上下動されるダイヤフラムにはその底部中心部に貫通孔が開穿され、更に、該貫通孔は外気に連通されており、該貫通孔に設けた吸気弁体と該貫通孔とにより吸気弁部が構成され、該吸気弁部を解放することによりダイヤフラム内に外気を導入することができるように形成されており、一方、ケース上板中央部に排気孔が開穿されており、且つ、該ケース上板下面部の該排気孔外周に該排気孔と連通する環状凹溝が形成されており、更に、該環状凹溝と前記排気孔に設けられた排気弁体とにより排気弁部が構成されているので、前記揺動体の偏心回転によって夫々のダイヤフラムが順次上下動し、そして、ダイヤフラム内へ順次吸気し、或いは排気させることにより小型ポンプが機動する。
【００１９】
斯くして、特に、該小型ポンプの前記吸気弁部がケース内に配設され、従来のようにケース外に露出していないため、該吸気弁部の作動音は該ケース内で消音され、従って、該作動音が該ケース外に漏洩して雑音が生じることが最少限に阻止される。
【００２０】
斯くの如く、本発明はダイヤフラムを用いた小型ポンプの吸気弁から発生する雑音を最少限に低減できると共に、ダイヤフラムを数個並べた多連式の小型ポンプを製作するに際し、その都度、吸気弁体を別途製作する必要がなくなり、ダイヤフラム成形用の金型にて該吸気弁も同時に成形することも可能となってコストダウンにも寄与する等、正に諸種の著大なる効果を奏する発明である。
【図面の簡単な説明】
【図１】本発明の一実施の形態を示し、小型ポンプの平面図。
【図２】本発明の一実施の形態を示し、図１のＡ−Ａ線で切断された小型ポンプの縦断面図。
【図３】本発明の一実施の形態を示し、図２のＢ−Ｂ線で切断された小型ポンプの縦断面図。
【図４】従来例を示し、小型ポンプの縦断面図。
【符号の説明】
２１          小型ポンプ
２２          ケース
２２ａ        上板
２２ｂ        支持部
２３          ダイヤフラム
２４          揺動体
２５          ポンプ室
２６          貫通孔
２７          空気導入孔
２９          回転体
３０          偏心回転軸
３１          回転駆動軸
３２          吸気弁体
３２ａ        排気孔
３３          環状凹溝
３３ａ        内壁面
３４          排気弁体
Ｖ１          吸気弁部
Ｖ２          排気弁部
【図１】
0004306097.tif 000002
【図２】
0004306097.tif 000003
【図３】
0004306097.tif 000004
【図４】
0004306097.tif 000005